(57)【要約】【課題】製造コストの低減を図る。【解決手段】配線器具用プレートは、スイッチＳやコンセントＣを取り付けるとともにスイッチボックスに固定される取付部材（プレート枠１及び取付枠２）と、配線器具の機能面を前方へ露出させる複数の開口窓３０を有し取付部材１，２に取り付けられる化粧プレート３と、同一の寸法並びに形状である複数の開口窓３０のうちで配線器具の機能面以外が露出している開口窓３０内の空間を塞ぐ化粧カバー４，５，６とを備える。故に、連接された取付部材（プレート枠１及び取付枠２）に取り付けられる配線器具の個数や種類の組み合わせに応じて開口窓３０の形状及び寸法が異なる多種類の化粧プレートを用意する必要がなく、従来例に比較して製造コストの低減が図れる。【選択図】        図１
2006320148.tif 000002
【特許請求の範囲】
【請求項１】
埋込型の配線器具を取り付ける取付手段を有し造営面に埋め込まれたスイッチボックスに固定される複数の取付部材と、取付手段によって各取付部材に取り付けられた配線器具の機能面を前方へ露出させる複数の開口窓を有し複数の取付部材全体を覆う形で取付部材に取り付けられる化粧プレートと、同一の寸法並びに形状である複数の開口窓のうちで配線器具の機能面以外が露出している開口窓内の空間を塞ぐ化粧カバーとを備えたことを特徴とする配線器具用プレート。
【請求項２】
取付部材は、前方から見た形状が略矩形である本体を有し、本体の各辺における側面には連接用突起並びに他の取付部材の連接用突起と係合する連接用溝部が設けられてなることを特徴とする請求項１記載の配線器具用プレート。
【発明の詳細な説明】
【技術分野】
【０００１】
本発明は、壁面等の造営面に設けた埋込孔に配線器具を配設するための配線器具用プレートに関するものである。
【背景技術】
【０００２】
従来より、壁面等の造営面に設けた埋込孔に埋込ボックス（スイッチボックス）を埋設し、スイッチやコンセント等の配線器具が着脱自在に取り付けられるプレート枠を埋込孔の前面側から埋込ボックスに取り付け、さらにプレート枠の前面に化粧プレートを取着することで配線器具を壁等に見栄え良く埋込配設するようにした配線器具用プレートが提供されている（例えば、特許文献１参照）。
【０００３】
かかる配線器具用プレートは、例えば、埋込型の配線器具の機能面（スイッチの操作体が設けられた面やコンセントの差込口が設けられた面）を露出させる開口部を有するとともに開口部を挟んで対向する側枠片に配線器具を取り付けるための取付手段を具備して造営面に設けられた埋込孔の開口面側を覆うプレート枠と、配線器具の機能面を露出させる開口窓を有するとともにプレート枠に取着されてプレート枠の前面を覆う化粧プレートとで構成される。また、図３に示すように一列に連接された複数のプレート枠（図示せず）と、これら複数（図示例では３個）のプレート枠全体を覆う形状及び寸法に形成された化粧プレート１０１とで構成される配線器具用プレート１００もある。
【特許文献１】特開平１１−１６８８１３号公報
【発明の開示】
【発明が解決しようとする課題】
【０００４】
ところで、プレート枠には単位寸法（これを１個モジュールと呼ぶ。）の器具が複数連接して取付可能であり、例えば、図３に示すように中央のプレート枠には１個のスイッチＳを取り付け、一端側のプレート枠には２個のスイッチＳを取り付けることもできる。この場合、化粧プレート１０１には各プレート枠に取り付けられた配線器具（スイッチＳやコンセントＣ）の機能面を前方へ露出するための開口窓１０２が各プレート枠毎に設けられるが、各プレート枠において前方へ露出するべき機能面の寸法が配線器具の個数や種類によって異なっているので、それぞれの機能面の寸法に対応して開口窓１０２の寸法や形状も変える必要があった。すなわち、連接されたプレート枠に取り付けられる配線器具の個数や種類の組み合わせに応じて開口窓の形状及び寸法が異なる多種類の化粧プレートが必要となって配線器具用プレートの製造コストが大きくなってしまうという問題があった。
【０００５】
本発明は上記事情に鑑みてなされたものであり、その目的は、製造コストの低減が図れる配線器具用プレートを提供することにある。
【課題を解決するための手段】
【０００６】
請求項１の発明は、上記目的を達成するために、埋込型の配線器具を取り付ける取付手段を有し造営面に埋め込まれたスイッチボックスに固定される複数の取付部材と、取付手段によって各取付部材に取り付けられた配線器具の機能面を前方へ露出させる複数の開口窓を有し複数の取付部材全体を覆う形で取付部材に取り付けられる化粧プレートと、同一の寸法並びに形状である複数の開口窓のうちで配線器具の機能面以外が露出している開口窓内の空間を塞ぐ化粧カバーとを備えたことを特徴とする。
【０００７】
請求項２の発明は、請求項１の発明において、取付部材は、前方から見た形状が略矩形である本体を有し、本体の各辺における側面には連接用突起並びに他の取付部材の連接用突起と係合する連接用溝部が設けられてなることを特徴とする。
【発明の効果】
【０００８】
請求項１の発明によれば、化粧プレートの複数の開口窓を同一の寸法並びに形状に形成し、複数の開口窓のうちで配線器具の機能面以外が露出している開口窓内の空間を化粧カバーで塞ぐようにしたため、連接された取付部材に取り付けられる配線器具の個数や種類の組み合わせに応じて開口窓の形状及び寸法が異なる多種類の化粧プレートを用意する必要がなく、従来例に比較して配線器具用プレートの製造コストの低減が図れるという効果がある。
【０００９】
請求項２の発明によれば、複数の取付部材を連接する際に一方の取付部材の連接用突起を他方の取付部材の連接用溝部に係合するとともに一方の取付部材の連接用溝部に他方の取付部材の連接用突起を係合することで取付部材同士を位置合わせして見栄えよく連接できるとともに、連接用突起と連接用溝部との係合によって複数の取付部材が連結されるために施工時や使用中に取付部材がずれることが防止できるという効果がある。
【発明を実施するための最良の形態】
【００１０】
以下、図面を参照して本発明の一実施形態を詳細に説明する。
【００１１】
本実施形態の配線器具用プレートは、図１に示すように埋込型の配線器具を取り付ける取付手段を有し造営面に埋め込まれたスイッチボックス（図示せず）に固定される複数（例えば、３個）の取付部材１，２と、取付手段によって各取付部材１，２に取り付けられた配線器具の機能面を前方へ露出させる複数（図示例では３つ）の開口窓３０を有し複数の取付部材全体を覆う形で取付部材１，２に取り付けられる化粧プレート３と、同一の寸法並びに形状である複数の開口窓３０のうちで配線器具の機能面以外が露出している開口窓３０内の空間を塞ぐ化粧カバー４，５，６とを備えている。
【００１２】
図１において中央並びに右端に位置する取付部材（以下、「プレート枠」と呼ぶ。）１は、絶縁性を有する合成樹脂材料により略矩形枠状に形成されたプレート本体１０を備え、その中央部には配線器具（図示例ではタンブラスイッチＳ）の機能面（タンブラスイッチＳの操作ハンドル７２）を前面側へ露出させるために矩形の開口部１１が設けてある。また、開口部１１の周縁には、互いに開口部１１を挟んで対向するように帯状の固定梁部１２並びに可動梁部１３が設けてある。可動梁部１３は、プレート枠本体１０の開口部１１を挟んで対向する一対の側枠片１１ａ，１１ｂのうちの一方の側枠片１１ｂから離間し、その両端において支点部１４とともに側枠片１１ｂに一体且つ揺動自在に形成されている。ここで、可動梁部１３並びに支点部１４を含めてプレート枠本体１０を形成している合成樹脂は可撓性材料であり、プレート枠本体１０に対して可動梁部１３が支点部１４を支点に撓み自在となっている。
【００１３】
一方、固定梁部１２並びに可動梁部１３の開口部１１側の面には、タンブラスイッチ（以下、「スイッチ」と略す）Ｓの器具本体７０の両側面から一対ずつ突設された係止爪（図示せず）が係止する一対の係止溝１２ａ，１３ａが各々２組ずつ、合計４つずつ設けてある。すなわち、器具本体７０に設けた係止爪を各組の一対の係止溝１２ａ，１３ａに係止することにより、操作ハンドル７２を開口部１１から露出させた状態でプレート枠本体１０に器具本体７０を取り付けることができる。つまり、本実施形態では一対の係止溝１２ａ，１３ａが取付手段に相当する。
【００１４】
また、固定梁部１２には各係止溝１２ａの間にプレート枠本体１０の前面側から貫通する器具外し孔（図示せず）が等間隔に３つ穿設してあって、ドライバや取外し専用の治具等の先端部分をこの器具外し孔に挿入し、治具の先端部分で器具本体７０を可動梁部１３側へ押してやれば、梃子の原理によって僅かな力で可動梁部１３を撓ますことができ、固定梁部１２側の係止溝１２ａと器具本体７０の係止爪との係止を解いてプレート枠本体１０から器具本体７０を取り外すことができるようになっている。
【００１５】
ところで、開口部１１の寸法は図１に示す配線器具（スイッチＳ）の器具本体７０の寸法を基準寸法としたときに、この基準寸法に形成された器具本体（以下、「１個モジュールの器具本体」と呼ぶ。）７０の短幅方向の寸法の略２倍に等しい寸法、言い換えれば、１個モジュールの器具本体７０をその短幅方向に２個連接して取り付けることのできる寸法にしてある。同様にプレート枠本体１０の固定梁部１２及び可動梁部１３に設けた各係止溝１２ａ，１３ａのピッチは、１個モジュールの器具本体７０側面に突設されている係止爪のピッチと等しくしてある。なお、上記基準寸法は適当な値に設定すればよく、このような基準寸法に適合した配線器具であれば、共通にプレート枠１に取り付けることができるものである。また、プレート枠本体１０の側枠片１１ａ，１１ｂには、プレート枠１を埋込ボックス（図示せず）に取り付けるためのボックスねじ（図示せず）を挿通するボックスねじ挿通孔１５が略中央に設けてある。
【００１６】
ところで、プレート枠本体１０の開口部１１を囲む４つの側枠片１１ａ〜１１ｄには、平板状の連接用突起１６と、連接用突起１６が凹凸係合可能な寸法を有する矩形の連接用溝部１７とがそれぞれ並設されている。ここで、各側枠片１１ａ〜１１ｄにおける連接用突起１６と連接用溝部１７との位置関係を同一としてある。
【００１７】
従って、例えば２つのプレート枠１を左右に並べて造営面に配設する場合、一方のプレート枠１の側枠片１１ｃに突設された連接用突起１６を他方のプレート枠１の側枠片１１ｄに設けられた連接用溝部１７に係合することにより、図１に示すように一方のプレート枠１の側枠片１１ｃと他方のプレート枠１の側枠片１１ｄとをつき合わせて、隣り合うプレート枠１同士を位置合わせして見栄え良く連接することができる。しかも、連接用突起１６と連接用溝部１７との凹凸係合によって２つのプレート枠１が連結されるため、施工時や使用中にプレート枠１がずれたりすることがないものである。
【００１８】
ところで、プレート枠本体１０の四隅には、化粧プレート３の背面から突設した突片３１が挿入係止される係止孔１８が設けてあり、後述するように、これらの係止孔１８に突片３１を挿入係止させることでプレート枠１の前面側に化粧プレート３を着脱自在に取り付けることができるようになっている。
【００１９】
一方、図１において左端に位置する取付部材（以下、「取付枠」と呼ぶ。）２は、埋め込み型のコンセントＣを取り付けるものであって、金属板を打ち抜き加工して中央部に略円形の取付窓２０が開口した略正方形に形成され、取付窓２０の周縁から後方に向けて一対の脚片２１が延出されてなる。また、各脚片２１の先端部には、合成樹脂成型品からなるコンセントＣのボディ２２が固定されている。このボディ２２は、プラグの接触子を受ける刃受け（図示せず）並びにプラグの接地極に接触する接地用刃受２３を保持するものである。なお、取付枠２の縦横寸法はプレート枠１の縦横寸法と略同一としてある。
【００２０】
化粧カバー６は、有底円筒形のカバー本体６０と、カバー本体６０の前面に形成された平面視略正方形の外鍔部６１とが合成樹脂成形品として一体に形成されてなり、カバー本体６０の前面には、プラグが前方から嵌合される凹所６２が形成され、凹所６２の底面には、プラグの接触子が差し込まれる一対のピン挿入口６３が形成されている（図２参照）。そして、凹所６２の底面の中央に設けられたねじ挿通孔（図示せず）に挿通される組立ねじ６４によりカバー本体６０がボディ２０に結合されることでコンセントＣが組み立てられる。なお、外鍔部６１の外形形状並びに寸法が化粧プレート３の開口窓３０に略一致させてある。
【００２１】
また、取付枠２の各辺には互いに嵌合可能な形状及び寸法とした連接用突部２ａ並びに連接用溝部２ｂがそれぞれ形成されており、複数の取付枠２又は取付枠２とプレート枠１を並べて配設する場合に隣接する取付枠２の連接用突部２ａ（又はプレート枠１の連接用突部１６）と連接用溝部２ｂ（又はプレート枠１の連接用溝部１７）を係合することにより、隣り合う取付枠２同士（又は取付枠２とプレート枠１）を位置合わせして見栄え良く連接することができる。
【００２２】
化粧プレート３は、絶縁性を有する合成樹脂により、取付部材（プレート枠１及び取付枠２）の前面を覆う長尺の略皿形に形成され、各取付部材に対向し且つ同一の形状並びに寸法を有する略正方形の開口窓３０が長手方向に等間隔で並設されている。従って、壁面などの造営面に連接する形で埋込配設された３つの取付部材（２つのプレート枠１と１つの取付枠２）に前方から化粧プレート３を被せ、化粧プレート３の背面側に突設されている突片３１を２つのプレート枠１の各係止孔１８に挿入係止させることで取付部材の前面側に化粧プレート３を取り付けることができる。また、取付部材に取り付けられた化粧プレート３の各開口窓３０から配線器具の機能面（スイッチＳの操作ハンドル７２並びにコンセントＣの凹所６２）が前方へ露出することになる（図２参照）。
【００２３】
ここで、化粧プレート３の開口窓３０は配線器具の機能面よりも大きい寸法に設定されており、例えば、開口窓３０内においてスイッチＳの操作ハンドル７２の周りには配線器具の機能面以外が露出する空間が生じるが、この空間は化粧カバー４，５，６によって塞ぐことができる（図２参照）。
【００２４】
化粧カバー４，５は、略矩形平板状の合成樹脂成形品からなり、中央にはスイッチＳの操作ハンドル７２を露出するための露出窓４０，５０が設けられている。但し、一方の露出窓４０は１個の操作ハンドル７２が露出可能な形状及び寸法であり、他方の露出窓５０は２個の操作ハンドル７２が露出可能な形状及び寸法である。また、化粧カバー４，５の背面側には、外向きに突出する係合突起４１ａを先端に有する複数の係止部４１が垂設されている。
【００２５】
而して、連接したプレート枠１及び取付枠２の前面に化粧プレート３を被着し、化粧カバー４，５を化粧プレート３の開口窓３０に嵌合すれば、係止部４１が開口窓３０の周縁部分に係止して化粧プレート３に取り付けられ、開口窓３０内においてスイッチＳの操作ハンドル７２の周りに生じる空間が化粧カバー４，５で塞がれることになる（図２参照）。なお、取付枠２に対応する開口窓３０については、化粧プレート３を取り付けた時点で化粧カバー６によって塞がれることになる。
【００２６】
而して、図３に示した従来例では、開口窓が配線器具の機能面の外形形状及び寸法に一致した複数種類の化粧プレートを別途用意する必要が生じ、化粧プレートを複数種類用意するために金型等の種類が増えて製造コストが上昇し、また在庫管理の手間が増える等の問題が生じる。これに対して本実施形態では、化粧プレート３の複数の開口窓３０を同一の寸法並びに形状に形成し、複数の開口窓３０のうちで配線器具の機能面以外が露出している開口窓３０内の空間を化粧カバー４，５，６で塞ぐようにしたため、連接された取付部材（プレート枠１及び取付枠２）に取り付けられる配線器具の個数や種類の組み合わせに応じて開口窓３０の形状及び寸法が異なる多種類の化粧プレートを用意する必要がなく、従来例に比較して製造コストの低減が図れる。また、化粧プレート３の開口窓３０の形状及び寸法に配線器具の機能面を合わせることも考えられるが、その場合、配線器具の機能面の形状及び寸法が開口窓３０に規制されて設計、デザインの自由度が減少してしまうので、上述のように化粧カバー４，５，６を用いる方が配線器具の設計、デザインの自由度が増えるという利点がある。なお、本実施形態では３つの取付部材を連接する場合を例示したが、２つあるいは４つ以上を連接する場合でも化粧プレート３の寸法を変えることで容易に対応できる。
【図面の簡単な説明】
【００２７】
【図１】本発明の実施形態を示す分解斜視図である。
【図２】同上の正面図である。
【図３】従来例の正面図である。
【符号の説明】
【００２８】
１  プレート枠
２  取付枠
３  化粧プレート
４  化粧カバー
５  化粧カバー
６  化粧カバー
３０  開口窓
Ｓ  スイッチ
Ｃ  コンセント
【図１】
2006320148.tif 000003
【図２】
2006320148.tif 000004
【図３】
2006320148.tif 000005